【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
人間の、最も太くなっている腰の部分の左右に、両手の握りこぶしを当てた幅ほどの長さの上部支持棒と、両端でそれを支える、使用する人の腰の高さ、又は使用する人の腰の高さに調節可能な両側の２本の支柱と、それぞれの支柱の下端部に取付ける側板２枚と、側板同士または支柱同士を下端部で繋ぐ下軸１本から成る鉄棒に似た形状の健康器具。
【請求項２】
図２の逆さ姿勢での牽引の時に、ずり落ちを防ぐために脚の裏側によって支えられるように、後ろに繋ぎ金具で支えの為の器具を取付けた、肥満度の高い方用に製作した健康器具。
【請求項３】
図２の逆さ姿勢での牽引の時に、ずり落ちを防ぐために脚の裏側によって支えられるように、器具に支え輪を取付けた、肥満度の高い方用の請求項１の健康器具。
【請求項４】
支柱の全部または一部を、前方または後方に、半円形または半四角形等に曲げた形状に製作した請求項１〜３のいずれかの健康器具。
【請求項５】
支柱を前方又は後方に傾斜させ、または傾斜の角度を変えられるように製作した請求項１〜４のいずれかの健康器具。
【請求項６】
下軸を０〜複数本に、または支柱を１〜複数本にして製作した請求項１〜５のいずれかの健康器具。
【手続補正２】
【補正対象書類名】明細書
【補正対象項目名】全文
【補正方法】変更
【補正の内容】
【発明の詳細な説明】
【発明の名称】自重牽引健康器
【技術分野】
【０００１】
本発明は、自重の牽引による健康器具に関するものである。  
【背景技術】
【０００２】
主には腰の牽引を目的として、これまで様々なぶら下がり健康器や逆さぶら下がり健康器が提案されてきた。例えば、ぶら下がりについては、ぶら下がり健康器のように上方のバーを掴んでおこなうものを始めとして、両脇で体重を支えてぶら下がる特開平７−２１３６４７や実用新案登録第３１１４７０８号、上方からの輪になったベルトを腕を通して背中に回してぶら下がる特許公開２００１−３３３９２７等がある。また、逆さぶら下がりについては、器具に足首を掛けるようにして高い位置で逆さにぶら下がる実用新案登録第３０６５３０６号や低い位置で器具に膝の裏側と足首をセッティングして動力で器具
を高い位置に持っていく実開平６−７４１６２や、実施者が横たわった板を回転するようにして行なう緩やかな傾斜の逆さぶら下がりと言える特許公開２００４−２８３５２５や特許公開２０００−１８５０６４…等がある。また、肩こりの解消のためにこれまで提案されてきたのは、肩を動かすストレッチ体操により血流を良くし解消を図ろうとする器具や、温めることや突起物等の指圧による方法があった。
【０００３】
【特許文献１】特許公開２０００−１８５０６４
【特許文献２】特許公開２００４−２８３５２５
【特許文献３】実用新案登録第３０６５３０６号
【特許文献４】実用新案登録第３１１４７０８号
【特許文献５】実開平６−７４１６２
【発明の開示】
【発明が解決しようとする課題】
【０００４】
これまで様々なぶら下がり健康器や逆さぶら下がり健康器が提案されてきたが、多くの方が指摘するように、例えばぶら下がり健康器のように腕で体重を支えるタイプのものは、数分行なおうとするとかなりの苦痛が伴う。そして、腰部に関する牽引力については、脚と臀部だけの自重なので牽引の効果はそれ程大きなものとはならないという欠点があった。  また、逆さぶら下がりについては、これまでの器具は、実施までの器具の装着等に少しの面倒があったり、一畳近い場所が必要だったり大掛かりになりがちだった。また、緩やかな傾斜の逆さぶら下がりと言える種々の器具については、腰の痛みの強い方を対象としている事も有り、腰の牽引の効果はそれ程大きなものではなかった。  その様な訳で、これまで提案されてきた器具は実際に行なうのに何か支障があり、一回にできる持続時間が短かったり、継続的に実施しにくかったり、効果が少ないものであった。  故に、その種の健康器具が普及し利用されることは少なく、現在でも実用的で有効な対処器具や対処法が無いまま、多くの方が慢性的な腰痛に悩まされているという現実がある。  しかし、牽引には非常に大きな効果があることは知られている。故に、病院等で設置されている機械による牽引と同じほどの牽引力（３０〜４０ｋｇ）が期待できる、効果が高く実用的で、コンパクトで手軽に行なえる廉価な健康器具は切望されるところとなっている。そこで、その牽引力や実施時間の長さの必要に適うと共に、日常生活で絶え間なく腰にかけている何十キログラムものストレスを、逆方向への負荷とすることで腰部の筋肉を休ませ実際に腰痛の解消が図れる健康器具を提供する。また、姿勢も腰痛に関係してくることから、脊柱矯正にも同時に役立つ健康器具とする。併せて肩こりの解消に関しても、従来以上に手軽に出来て実効性のあるストレッチとなる、対症療法ではなく根治的なものとして役立てられる健康器具を提供する。
【課題を解決するための手段】
【０００５】
（１）人間の、最も太くなっている腰の部分の左右に、両手の握りこぶしを当てた幅ほどの長さの上部支持棒と、両端でそれを支える、使用する人の腰の高さ、又は使用する人の腰の高さに調節可能な両側の２本の支柱と、それぞれの支柱の下端部に取付ける側板２枚と、側板同士または支柱同士を下端部で繋ぐ下軸１本から成る鉄棒に似た形状の健康器具とする。（図１Ａ参照）
（２）図２の逆さ姿勢での牽引の時に、ずり落ちを防ぐために脚の裏側によって支えられるように、後ろに繋ぎ金具で支えの為の器具を取付けた、肥満度の高い方用に製作した健康器具とする。（図１Ｃ参照）
（３）  図２の逆さ姿勢での牽引の時に、ずり落ちを防ぐために脚の裏側によって支えられるように、器具に支え輪を取付けた、肥満度の高い方用の（１）の健康器具とする。（図１Ｄ参照）
（４）  支柱の全部または一部を、前方または後方に、半円形または半四角形等に曲げた形状に製作した（１）〜（３）のいずれかの健康器具とする。
（５）  支柱を前方又は後方に傾斜させ、または傾斜の角度を変えられるように製作した(１)〜(４)のいずれかの健康器具とする。
（６）下軸を０〜複数本に、または支柱を１〜複数本にして製作した（１）〜（５）のいずれかの健康器具とする。
【０００６】
前記による製作器具を、図２と図３に示す、基本的な二通りの用い方により、健康器具として役立てる。
【０００７】
当器具の発明は、発明者自身の腰痛の体験により発明されたものである。発明者自身の、腰を原因とする脚のしびれで歩けないまでに悪化した状態が、この自重牽引健康器に近いやり方により、およそ１ヶ月程の後には８割方回復した。詳しくは、九日間の安静の後、職場に戻った際、再び悪い状態に戻りそうな感があったので、腰に一番負担のかからない状態を考えて、‘立ったまま膝を曲げずに前屈し、掌が足下に接する姿勢’を、一回につき３〜４分、一日に７〜８回行なっていた。これは、後になって考えてみると、腰にとって一種の‘牽引’であった。それが回復に役立ったので、牽引の及ぼす効果を実感した。そこで、手軽に出来る牽引により、腰痛治療や予防に役立てて頂きたいと考えたことによる。
【０００８】
(従来の技術との違い)
本発明は、考え得る最もシンプルで小さな形状であり、用い方も最もシンプルなものである。それゆえ、廉価な器具となることが想定され、また、簡単で面倒が無いので、長く続けることができ、その分、効果も大きなものとなる。更にまた、図2の仕方によって、胴体、頭部、両腕の、合計の自重による牽引となるので、大きな牽引効果が得られる。（体重６０ｋｇの方であれば、腰部にかかる牽引の力は４０ｋｇ前後となる。）  また、一回にできる時間の長さも、無理なく１０〜２０分間でも楽々可能であり、腰痛の治療や解消、また猫背等の脊柱矯正、さらに肩こりの解消や頚椎の牽引治療に、これまでに無い程の簡便さで、大きな効果を期待できる健康器具である。  なお、当器具と外形が似ているものに特許公開２００３−７０８７３が有るが、これは「ローラーに足のふくらはぎを乗せて、ふくらはぎと膝の裏側を押圧」して、腰痛解消に役立てようとするもので、当自重牽引健康器とは考え方も用い方も異なる、全く別のものである。
【０００９】
(鉄棒との違い)
イ.    図２の姿勢では、股関節又は太腿の上部を支点として上半身を鉛直下に垂下するので、その姿勢から起き上がることは、不可能と言っても過言で無いほど困難である。当器具は、幅を５０ｃｍ前後にすることにより、支柱を利用して簡単に起き上がることが出来るようにした。
ロ．  鉄棒は高さが固定されているものである。図２の当器具の仕方は、器具の高さが高すぎると、行なうのに怖さを感じるものであり、低すぎると頭部が下について牽引の効果が得られないので、鉄棒で代用することはできない。当器具は、高さを調節できる
ように設計されており、ふさわしい高さで行なうことが出来るものである。
ハ．  鉄棒は、一部の公園、等の限られた場所にあり、また、屋外で地上に固定されているものであるので、何時でも自分の都合に遭わせて行なうという点で無理がある。当器具はコンパクトで場所も取らないので、屋内に置くことが出来、また、片手で楽々移動可能なので、何時でも何度でも自分の都合の良い場所で実施出来る健康器具である。
【００１０】
以上の理由により、当器具は一見すると鉄棒に似ているが鉄棒とは実質的に機能が異なるものであり、当器具を鉄棒として使用することも、鉄棒で代用して使用することも不可能のものであるので、鉄棒とは全く‘似て非なるもの’である。
【発明の効果】
【００１１】
当健康器は、図２の仕方により、胴体、頭部、両腕の、合計の自重による牽引となるので、大きな牽引効果が得られる。  また図３の仕方によっても、いわゆる‘ぶら下がり健康器’に近い牽引効果が得られる。さらに、実施の持続時間も、図２と図３の仕方を組み合わせて連続で行なうことにより、１０分間以上の長い時間でも楽々牽引状態を続けることが出来るので、大きな効果を期待出来る。また、この器具の牽引力は、自重によるものなので、自然であり無理がない。
【００１２】
病院等に設置されている機械による牽引のように回数や時間が限られることも無く、また、その度に費用がかかることもなく、また待ち時間も無く、一人で何時でも、何度でも行なえるので、医療費や通院に掛かる費用及び時間を大巾に節約できる。
【００１３】
当器具において、特に図２の用い方の牽引効果により、１〜２ヵ月後には猫背が矯正され、無理なく背すじの張った姿勢になることが期待できる。脊柱側弯症にも効果が期待できる。また、何か前屈みの作業等の姿勢を続けた時や、冬の時期に寒さで肩がすぼみ背すじが丸くなった時等、正しい姿勢を取り戻したい時にも当器具は速やかに役立つものとなる。  背すじの張った正しい姿勢は腰痛予防にもなり、また、健康にも寄与する。更に、美容の点でも優れた効果と言える。
【００１４】
重力により無意識のうちにも体に掛かっている負荷を、図２の実施により逆方向の負荷に転化できるので、実施中と実施後は体が楽になり、爽快感が得られる。これはぶら下がりによる状態が健康全体に寄与するものであることを想定させるものであり、それについては特許文献５にも示されている通りである。
【００１５】
試作品を試して貰った方から、肩こりが１ヶ月前後で解消した報告があり、肩こり解消も期待できる事が分かった。これは、前記の事柄とも関係するが、図２の逆さぶら下がり状態が血液の循環に良い影響を及ぼすからと考えられる。又は、図２の姿勢において、肩が通常時と違うマイナスの負荷を受けることになるためかも知れず、又は頚椎の牽引となることの好影響とも考えられる。ゆえに、この器具による肩こりの解消は、温熱や指圧のような一次的な対症療法ではなく、根治的なものである。
【００１６】
頚椎の牽引の必要のある方からも、図２の逆さぶら下がり状態が頭の自重での牽引になり助かっている、との報告があり頚椎牽引にも役立つことが分かった。
【００１７】
特に図２の方法を体験するならば、日常での、体の上半身の重さが腰椎にかけているその重量を実感し、不必要な負担を腰にかけないように意識を強めることができるので、腰痛予防の意味でも役立たせることが出来る。
【発明を実施するための最良の形態】
【００１８】
（器具について）
当器具は、木製や鉄製でもよいが強度や軽量にする点から、上部支持棒１・支柱２・側板３・下軸４、及び支え輪１５をアルミニウムや強化プラスチック、またはそれらの混合の器具として製作するのが最良である。また、下軸４にタイマー置具１１を取付け、図２の姿勢で見る事が出来るように、タイマーを逆さにつけて置く。それにより、時間が測れると共に、実施の意欲が高まり励みが得られる。
【００１９】
図１Ａに示す自重牽引健康器の、支柱２の下端からクッション用ゴム１２の上端までの高さaの、実施し易い高さは、（a＝身長―股下長―α）で、αは、おおよそ４〜７ｃｍである。  高さ調節の上部支柱２ａと下部支柱２ｂのはめ込む部分は、高さ調整ネジを兼ねたグリップ７を取付け易いように、はめ込んだ時の上部支柱２ａの下端の位置を、下部支柱２ｂに印付けておく。
【００２０】
軽量さとコンパクトさを実現するために、上部支持棒１の長さを５０ｃｍ前後（４０〜５５ｃｍ）とし、図１Ａ、図１Ｃ、図１Ｄ、図１Ｆ、の形状においては側板３の長さを４５ｃｍ前後（３５〜５５ｃｍ）にし、側板３に取り付ける支柱２の下端を、側板３の前端から３分の２ほど後方の位置とする。図１Ｃの後方側板３ｂの長さは３５ｃｍ前後（３０〜４０ｃｍ）にし、図１Ｇにおいては側板３の長さを６０ｃｍ以上（６０〜８０ｃｍ）にする。
【００２１】
（実施の仕方について）
図２と図３を組み合わせて、図２−図３−図２−図３…と繰り返し連続で行なうならば、１０〜２０分間以上でも楽々無理なく行なうことが可能で、健康効果を大きく出来る。この図２の方が効果が高いので、出来る限り図２の方を長く行なう。  また、図２と図３の仕方を単独で行なうことも出来る（例えば図２を行なって少し休み、再び図２を行なって少し休む…というように）。一回の実施している時間の合計が６〜１０分間となるようにする。
【００２２】
体にかかる重力の大きさに依るが、可能であれば図２の仕方を２〜３分前後行ない、図３の仕方を３０秒前後行なう。これを１セットとして、一度に２〜３回繰り返し、全体で６〜１０分間行なう。それが難しいようであれば、もっと短いサイクルを１セットとして回数を増やし、全体で６〜１０分間としても良い。  一日に、最低３回(朝、帰宅時、就寝前)行なう。可能であれば日中も行ない、腰の痛みの強い時期等には一日に５回以上行なうと更に効果的である。
【００２３】
図２から図３に移った時に貧血状態を感じたら、無理せず上部支持棒１に捉まったまま足で立った状態で、正常に為るまで少し待つ。  なお、図２も図３も実施中は胸を反らせるようにすると、より効果的である。また、図２では、可能であれば脚は水平よりも上に上げた方が痛みが少なく、やり易い。  当器具の実施については、まず少なくとも１０日間行ない、習慣付けることが肝心である。更に続けて行くに従い効果が顕著になるので、行なうことが歓びとなり、そのまま続けて行ける。
【実施例】
【００２４】
以下に、本発明を図面により詳細に説明するが、各図において示される形状等は使用例を表すものであり、それに限定されるものではない。  なお、図面は、図１Ａ〜図１Ｇは器具そのものに関したもので、図２〜図６は器具の実施の仕方に関するものとなっている。
【００２５】
本発明の器具の基本的な構成は、図１Ａに示されているように、上部支持棒１が１本と支柱２が２本と側板３が２枚と下軸４が１本から成るものである。
【００２６】
図１Ａについての詳細な説明。（図１Ｅは、その組立図である）
人間の腰の幅がゆっくり入る長さの上部支持棒とする。（約５０ｃｍ前後である。）両端で上部支持棒１を支える２本の支柱２がある。この支柱２は、使用する人の腰の高さに調節可能なものにする為に、図１Ｂと図１Ｅに示す通り上部支柱２ａと下部支柱２ｂに分かれており、下部支柱を、上端近くまで中空にした上部支柱にはめ込む形になっている。  実施者の最も使用し易い支柱２の高さa、（a＝身長―股下長―αで、αはおおよそ４〜７ｃｍ）に調整し、高さ調整用のネジを兼ねたグリップ７で止める。（ここは途中で外れると危険なのでネジの裏側をナット９でしっかり止める。）これらの支柱を、下軸にはめ込み、さらに図１Ｅに示すようにネジで側板３に取付けている。この側板の底面と支柱は直角になっている。そして、２本の支柱の上部に上部支持棒１をネジで止め、上部支持棒にクッション用ゴム１２を被せている。このクッション用ゴムに関しては、必ずしもゴム製である必要はなく、柔らかさと弾力を併せ持つ素材であれば何でも良い。  更に、器具を補強するため、支柱の下端部分と下軸を筋交い５で、また、支柱の上端部分と上部支持棒をＬ形補強具６でビス止めしている。また付属品として、引っ張り棒１０とタイマー置具１１を取付けている。
【００２７】
図１Ｃについての説明。
これは、前記の器具を後ろにもう一つ（これは脚の回転を止めるだけの為のものなので、全体的にもっと細くても良い）、側板で繋げて、繋ぎ金具１４で止めることが出来るようにしたものである。そして後方の器具については、後方側板３ｂを後方の下部支柱より後方部分を切り落とした形状にし、上部支持棒のクッション用ゴムをはずし、グリップ７の替わりに後方支柱の高さ調整用ネジ７ｂに変えている。これは、肥満度の高い方用に取り付けられるように製作した健康器具である。  なお、繋ぎの部分は必ずしも繋ぎ金具１４で固定したようなものでなくてもよく、例えば、側板３の形で中空にした長方体の金具にして、前後の側板をはめ込むようにしても良い。または、後方側板３ｂが前側になる側板の内側にちょうど納まるように後方の上部支持棒と下軸を短くしたものにし、１０ｃｍ程重ねた側板３と後方側板３ｂの繋ぎを上記のように中空の長方体にして、簡単に取り外しができ前側と後側の器具の間隔もある程度調節できるようなものにしても良い。
【００２８】
図１Ｄについての説明。
図１Ａの器具の２本の上部支柱２ａの外側の、上端近くに支え輪穴１６を設け、支え輪１５の端を入れる。支え輪穴１６の横上に、ネジ部分をテーパにした蝶ネジ１７をやや固く締めるように取付け、支え輪の上がる高さ調節（蝶ネジの向きにより調節）兼支え輪が上がった時のストッパーとする。  この図１Ｄの支え輪方式は、図１Ａ及び図１Ｆ、図１Ｇの形の器具にでも同様の簡単な細工を施すだけで装着でき、取付けや取り外しもワンタッチであり、簡便性と応用性のある方法といえる。
【００２９】
図１Ｆについての説明。
基本的には図１Ａと同じ構造であるが、支柱２に関して全部または一部を、前方または後方に、半円形または半四角形等に曲げた形状に製作したものである。これは、図２の実施時に支柱に肘がつかえないようにして、その姿勢の間、例えば本を読む等、両手を自由に用いることが出来るようにして、時間を一石二鳥で有効活用する為の器具である。また、実施の際には図１Ａよりも開放感のある器具である。
【００３０】
図１Ｇについての説明。
基本的には図１Ａと同じ構造であるが、側板３に取り付ける支柱２の下端の位置は、側板３の最先端で、側板３と支柱２の下端のなす角度は６０度である。この部分は、金属パイプを６０度で曲げて側板と支柱（下部支柱２ｂ）を、連続したものとして製作することも可能である。なお、側板の長さは安全のために、図１Ａの場合よりも２０〜３０ｃｍ長くする必要がある。  支柱（下部支柱２ｂ）と側板の間には側板筋交い５ｂを入れる。  この器具は、図２の実施に際して、実施者が両側の支柱２を手で辿って上半身を下げていくことが出来るようにする為であり、それにより図２の実施の不安感を少なくするためである。特に高齢者や最初の不安感の強い方に役立つ器具としたものであるが、図２の実施に際して肘が自由になる図１Ｆの特徴も併せ持っているので、側板と支柱の角度を７５度前後にするなら、側板の長さももっとコンパクトに出来、図１Ｆの利点を含んだ一般用の器具とすることも可能である。また、段落０００５の（５）で考慮した「支柱の傾斜の角度を変えられるように製作」したものとすることもできる。（一例として、図１Ｈのような構造で製作することも出来る。この場合、歯車１９は下部支柱２ｂの内側に密着（溶接）固定されている。）
【００３１】
次に、図２〜図５により当器具の実施の仕方について説明する。
【００３２】
図２の実施姿勢について.
立った姿勢から、股関接もしくは太腿の上部を支点にして上部支持棒１（クッション用ゴム１２を巻いたもの）に架け、グリップ７を握りながら上体をゆっくり前回転させ、頭部を鉛直方向に垂下する。そのまま静止した状態を保ち、胴体・頭部・両腕の合計の自重により、腰部の腰椎を牽引する。（例えば、体重６０ｋｇの方であれば、腰部にかかる鉛直方向への牽引力は４０ｋｇ前後になると考えられる。…それでも図７にあるように旨く釣合うのは、上部支持棒１を支点とする、上半身と下半身のそれぞれの重心位置までの距離が違っているからである。）  これはまた、同時に腰を支える筋肉も休ませていることになる。図６は、図２の実施のイメージ図である。  起き上がるときは、床又は側板を手で押し、更に支柱のグリップを利用する。
通常は、上体の自重の牽引力で十分であるが、体重の軽い方等で、上体の自重以上に腰部への牽引を強くしたいと望むならば空いている両腕で、図１Aの引っぱり棒１０を体方向に引くようにすれば良く、また、逆に牽引力が強すぎると感じる時は腕を下について上体の重さを調節すれば良く、それも自在である。この図２の方が図３の実施姿勢よりも健康に及ぼす効果は高い。
【００３３】
なお、図２の仕方を初めて行なう時は、多少の不安感を伴うが、一般には数回の試行で解消する。また、図２の初めての実施時に上部支持棒１に当る太腿に感じる痛みは、数回実施して行くうちにそれ程の痛みではなくなるので、心配無用である。  更にまた、図２の仕方が頭部に血液が充満するかのような感もあるかと思うが、実際に行なってみるとその様なことは無いので、心配無用である。  また、初期には図２の実施の後、短時間背中の痛みを感じるようになる事も有るが、それは脊柱が矯正されているために生じる痛みである。じきに痛まなくなるので、それも心配無用である。
【００３４】
図３の実施姿勢について.
上部支持棒１を、真っ直ぐ伸ばした両手で、立った位置から体を持ち上げるようにして支え、体を床から浮かせて静止した状態を保ち、両脚と臀部の自重により腰部を牽引する。この時に腰部に働く力は、いわゆる‘ぶら下がり健康器’に近い牽引力である。この姿勢に関しては、当器具でなくとも、鉄棒や机の端などを使っても出来るが、図３の姿勢に意味があるのは図２の姿勢との関連においてであり、図２の逆さ姿勢の後図３の姿勢を短時間行なうことにより、血流を平常時の状態に戻せることと、図２の姿勢で痛くなった太腿の痛みを和らげる時間にして、再度図２の姿勢に移ることが出来ることである。（図２の太腿の痛みは、３０秒前後、図３の姿勢にしている間に和らぐ。）  しかも、腰に関して言えば牽引状態は続いていることになる。
【００３５】
図４について.
図２の仕方を行なった時、肥満度の高い方は、大きな重力が働く関係から、上部支持棒１から下方にずり落ちそうになるので、それを防ぐためには、後ろに脚の支えとなるものが必要である。図１Ｃはそれを備えた器具であり、図４はその実施状態の図である。
【００３６】
図５について.
前記と同じく、肥満度の高い方が実施に際してずり落ちない為のものである。図２の実施時に肥満度の高い方は脚の支えとなるものが必要であるので、ストッパーを兼ねた蝶ネジ１７の向きにより、支え輪１５の上がる上限を調節しておく。その後、支え輪１５の中に入り図２及び図３の姿勢を実施する。図１Ｄはその器具であり、図５は図２の実施状態の図である。
【００３７】
図１Ｆ及び図１Ｇも、実施の仕方は図２及び図３の二通りの姿勢をとるもので同じである。
【００３８】
（安全性に関して）
初めて自重牽引健康器を用いる時、コンパクトで軽量であるので、器具ごと前方に転倒するのではないかと不安を感じる人もいるようである。図７は２００分の１のスケール図面であるが、通常の場合、図７にあるような手足を伸ばして横になった場合に、体全体の重心は臍の位置である。上部支持棒１が体に当たる位置は、１６５ｃｍの身長の人の場合、足の付け根（股下長さの起点）から８ｃｍほど臍に近づいた位置であり、そこから臍までは１７ｃｍである。これが図７の姿勢において重心が上部支持棒から最も離れる水平距離であり、２００ｃｍの身長の人の場合には、比例計算すると２１ｃｍ弱である。図１Ａにおいて、４５ｃｍの長さの側板３を用いて前端より３分の２の位置に支柱２を取り付けている場合、上部支持棒から側板の前端までの水平距離は３０ｃｍであるので、使用者の重心が器具を外れる心配は無く、安全性に関して問題は無い。
【産業上の利用可能性】
【００３９】
腰痛の人は、アメリカ人では８人に１人以上、ドイツ人では３人に１人、と言われており、日本でも病院や整骨院に通っているかどうかにかかわらず、腰痛の方や腰の疲れを感じている方は８人に１人以上とも考えられるほど非常に多いので、腰痛治療と腰の健康、及び猫背の矯正等背すじに関する健康のために、一人で簡単に手軽に出来て効果の高い、コンパクトで安価な健康器具の需要は相当大きいと推測される。
【００４０】
肩こりに悩む方も非常に多いので、肩こり解消の為の手軽に出来て効果の高い、コンパクトで安価な健康器具の需要も相当大きいと思われる。また、首の頚椎牽引で症状の改善を図ろうとする方にも、コンパクトで安価な器具として需要に応えるものとなる。
【００４１】
図２の実施は、重力により普段体に掛かっている負荷を逆方向に転化させるので、実施中と実施後には体が楽になり、爽快感が有る。健康全体への好影響は仕事の能率にも影響するので、社会的にも意味を持つものである。このことから、個人や医院等のみならず、会社などでも設置して、社員の、昼や休憩時間の有効活用として役立てることが考えられる。
【図面の簡単な説明】
【００４２】
【図１Ａ】自重牽引健康器の斜視図
【図１Ｂ】支柱の高さ調整図
【図１Ｃ】肥満度の高い方用の自重牽引健康器の斜視図
【図１Ｄ】肥満度の高い方用の他の例の自重牽引健康器の正面図と側面図
【図１Ｅ】自重牽引健康器の組立図
【図１Ｆ】自重牽引健康器の他の例を示す概略図
【図１Ｇ】自重牽引健康器のさらに他の例を示す概略図
【図１Ｈ】支柱の傾斜の角度を変える構造の一例図
【図２】自重牽引健康器による実施の仕方
【図３】自重牽引健康器によるもう一つの実施の仕方
【図４】肥満度の高い方用（図１Ｃ）の自重牽引健康器による実施の仕方
【図５】肥満度の高い方用（図１Ｄ）の自重牽引健康器による実施の仕方
【図６】図２の実施のイメージ図
【図７】自重牽引健康器の安全に関する図
【符号の説明】
【００４３】
１    …上部支持棒
２    …支柱（上部支柱と下部支柱で構成）
２ａ  …上部支柱
２ｂ  …下部支柱
３    …側板
３ｂ  …後方側板
４    …下軸
５    …筋交い
５ｂ  …側板筋交い
６    …Ｌ形補強具
７    …グリップ(支柱の高さ調整用のネジ付き)
７ｂ  …後方支柱の高さ調整用ネジ
８    …支柱の高さ調整用ネジ穴
９    …ナット
１０    …引っ張り棒
１１    …タイマー置具
１２    …クッション用ゴム
１３    …クッション用ゴムの止め穴
１４    …繋ぎ金具
１５    …支え輪
１６    …支え輪穴
１７    …蝶ネジ
１８    …ボルト
１９    …歯車
２０    …押え歯
【手続補正３】
【補正対象書類名】図面
【補正対象項目名】全図
【補正方法】変更
【補正の内容】
【図１Ａ】
2009148391.tif 000001
【図１Ｂ】
2009148391.tif 000002
【図１Ｃ】
2009148391.tif 000003
【図１Ｄ】
2009148391.tif 000004
【図１Ｅ】
2009148391.tif 000005
【図１Ｆ】
2009148391.tif 000006
【図１Ｇ】
2009148391.tif 000007
【図１Ｈ】
2009148391.tif 000008
【図２】
2009148391.tif 000009
【図３】
2009148391.tif 000010
【図４】
2009148391.tif 000011
【図５】
2009148391.tif 000012
【図６】
2009148391.tif 000013
【図７】
2009148391.tif 000014